(57)【要約】【課題】  単純な構造の取付用ブラケットでロールスクリーンのフレームやカーテンのレールをワンタッチで取り付けることができるロールスクリーン等の取付用ブラケットを提供する。【解決手段】  本体部１と、前記本体部１の一端側に形成された支持部材を係止するための第１の係止部２と、前記本体部１の他端側に形成された前記支持部材を係止するための第２の係止部３とからなり、前記第１の係止部２は、前記本体部１より垂下された垂下壁２ａの先端に形成された楔状爪２ｂであり、前記第２の係止部３は、前記本体部より垂下された垂下壁３ａの途中より外側に直角に形成された突起爪３ｂで、この本体部１と第１の係止部との間には中抜き溝１ｃが設けられるとともにこの第１の係止部の張出片５と本体部１との間に捩れ防止機構が配置されている。【選択図】  図１
2007023643.tif 000002
【特許請求の範囲】
【請求項１】
ロールスクリーンまたはカーテンを吊り下げ支持する支持部材を窓枠や壁面に取付ける取付用ブラケットにおいて、
窓枠にねじ止めして取り付けるブラケットの本体部と、
前記本体部の一端側に形成された支持部材を係止するための第１の係止部と、
この第１の係止部を有する前記本体部の他端側に形成された前記支持部材を係止するための第２の係止部と、
前記第１の係止部側壁が内側に湾曲するように設けた中抜き溝と、
からなり、
前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であることを特徴とするロールスクリーン等の取付用ブラケット。
【請求項２】
本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、
前記本体部の係止部を備えた両側壁の間に前記本体部の歪み防止機構と、からなり、前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されていることを特徴とするロールスクリーン等の取付用ブラケット。
【請求項３】
本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、
この第１の係止部から内側に延設して本体部の第２の係止部との対向面に配置した張出片と、
からなり、
前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されており、前記第１の係止部の張出片と本体部との間に移動可能なスペーサを配置して第１の係止部の円滑な移動を行えるようにし、前記支持部材は、ロールスクリーンの支持部材であることを特徴とするロールスクリーン等の取付用ブラケット。
【請求項４】
本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、
この第１の係止部から内側に延設して本体部の第２の係止部との対向面に配置した張出片と、
からなり、
前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されており、前記第１の係止部の張出片と本体部との間に移動可能なスペーサを配置して第１の係止部の円滑な移動を行えるようにし、前記支持部材は、カーテンのレールであることを特徴とするロールスクリーン等の取付用ブラケット。
【発明の詳細な説明】
【技術分野】
【０００１】
本発明は、天井や窓、或いは壁等などの取付け面に、ロールスクリーンまたはカーテンを取り付ける場合に使用するロールスクリーン等の取付用ブラケットに関する。
【背景技術】
【０００２】
従来、天井や窓、或いは壁等などの取付け面にロールスクリーンまたはカーテンを取り付ける場合は、予め取付用ブラケットを天井や窓、或いは壁等などの取付け面に取付ネジで固定し、この取付用ブラケットに設けられた係合部にワンタッチで取り付けることが行われている。この種の取付用ブラケットを実用新案登録第３０２１３９７号公報（特許文献１）に示す。
【０００３】
この特許文献１に示す取付用ブラケットは、ブラケット本体の一端側に形成した係止爪にレールの一側縁部を係止し、該当ブラケット本体の他端側に取付けた係止部材を弾性部材に抗して前後動させ、該係止部に形成した本止め爪にレールの他側縁部を係止するレール取付用のブラケットであって、上記ブラケット本体に取付けた係止部材の上面側と対向して固定部材を挿通するための取付け孔を形成し、上記係止部材の下面側に上記ブラケット本体の取付け孔に挿通された固定部材を回動操作具により回動操作するための操作窓を形成すると共に、上記操作窓を上記ブラケット本体の取付け孔に挿通された固定部材との接触が回避される大きさに形成したものである。
【特許文献１】実用新案登録第３０２１３９７号公報第１頁
【発明の開示】
【発明が解決しようとする課題】
【０００４】
しかしながら、上述した特許文献１の取付用ブラケットにあっては、ブラケット本体に形成された係止爪とレールに形成された一側縁部により、レールをブラケット本体にワンタッチで取り付けることができるが、そのために、弾性部材である板バネまたはコイルバネを必要とし、予めこの板バネまたはコイルバネをブラケット本体に組み込んでおく必要があった。そのため、ブラケット本体の形状が複雑になり、板バネまたはコイルバネは別部品であるので、結局は取付用ブラケットのコストが高くなるという問題があった。
【０００５】
本発明は、上述した従来の問題に鑑みなされたもので、単純な構造の取付用ブラケットでロールスクリーンのフレームである支持部材やカーテンの支持部材であるレールを窓枠などにワンタッチで取り付けることができるロールスクリーン等の取付用ブラケットを提供するものである。
【課題を解決するための手段】
【０００６】
本発明は、上記課題を解決するため、本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、からなり、前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であることを特徴とするものである。
【０００７】
また、本発明は、本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、からなり、前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されていることを特徴としている。
【０００８】
また、本発明は、本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、この第１の係止部から内側に延設して本体部の第２の係止部との対向面に配置した張出片と、からなり、前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されており、前記第１の係止部の張出片と本体部との間に移動可能なスペーサを配置して第１の係止部の円滑な移動を行えるようにし、前記支持部材は、ロールスクリーンの支持部材であることを特徴としている。
【０００９】
さらに、本発明は、本体部と、前記本体部の一端側に形成された支持部材を係止するための第１の係止部と、前記ブラケット本体の他端側に形成された前記支持部材を係止するための第２の係止部と、前記第１の係止部側壁が内側に湾曲するように設けた中抜き溝と、この第１の係止部から内側に延設して本体部の第２の係止部との対向面に配置した張出片と、からなり、前記本体部には、略中央部に本体部を取り付けるための取付ネジの挿通孔が形成され、前記第１の係止部は、前記本体部より垂下された垂下壁の先端に形成された楔状爪であり、前記第２の係止部は、前記本体部より垂下された垂下壁の途中より外側に直角に形成された突起爪であり、前記本体部、前記第１の係止部、前記第２の係止部は、合成樹脂で一体に成形されており、前記第１の係止部の張出片と本体部との間に移動可能なスペーサを配置して第１の係止部の円滑な移動を行えるようにし、前記支持部材は、カーテンのレールであることを特徴とするものである。
【発明の効果】
【００１０】
本発明は上述のように構成されたことにより、単純な構造の取付用ブラケットでロールスクリーンやカーテンの支持部材をワンタッチで取り付けることができるものである。
【００１１】
また、本発明はワンタッチで取り付けるために、バネなどの余分な部品を使用しないので、部品のための費用を削減できると共に、バネなどの余分な部品を組み込むための手間を削減することができ、全体のコストを低減できるものである。
【００１２】
さらに、本発明はロールスクリーンの取り付けとカーテンの取り付けの両方に使用することができるので、使用する用途が広がり、利便性の高い製品にすることができる。
【発明を実施するための最良の形態】
【００１３】
本発明に係るロールスクリーン等の取付用ブラケットの最良の形態について図面を参照して説明する。
図１は本発明に係るロールスクリーン等の取付用ブラケットをロールスクリーンに使用した状態を示す斜視図、図２は本発明の取付用ブラケットの説明図である。図３は図１のロールスクリーン等の取付用ブラケットを、窓枠に固定した状態を示す断面図、図４は図１のロールスクリーン等の取付用ブラケットに支持部材を挿入する状態を示す断面図、図５は図１のロールスクリーン等の取付用ブラケットに支持部材を挿入する状態を示す断面図である。
【００１４】
本発明に係るロールスクリーン等の取付用ブラケットＡは、ポリオキシメチレンやポリカーボネートのような機械的強度を備えた合成樹脂から所定の形状に形成されたものである。
図１または図２に示すように、本体部１と、この本体部１の一端側に形成された支持部材であるロールスクリーンＢの支持部材１０の一側上縁部１０ａを係止するための第１の係止部２と、ブラケット本体の他端側に形成された支持部材１０の他側上縁部１０ｂを係止するための第２の係止部３とから構成されている。
【００１５】
この本体部１には、略中央部に本体部１を取り付けるための取付ネジ４の挿通孔１ａが上面１ｂに形成され、本体部１と第１の係止部２とは一体的に形成されているが、一部に中抜き溝１ｃが設けられ、この中抜き溝１ｃのために第１の係止部２の先端部分が中央側（第２の係止部側）に移動できるようになっている。前記第１の係止部２には、本体部１より垂下された垂下壁２ａの先端に楔状爪２ｂが形成されている。この第１の係止部２の上面は前記本体部１の上面１ｂより低い位置にあり、この上面１ｂの第２の係止部３側へ突出している張出片５にスペーサ６を嵌合する長孔５ａが穿ってある。このスペーサ６は球体であって張出片５と本体部１の下面１ｄとの間隔を維持するものである。
【００１６】
前記第２の係止部３は、本体部１より垂下された垂下壁３ａの途中に直角に突出された突起爪３ｂが形成され、この垂下壁３ａの一部に溝３ｅが穿ってあり、端部が撓み易くなっている。また、この垂下壁３ａの下端には突起３ｄが外側へ突出している。この溝３ｅがあるために第２の係止部３の端部が前記第１の係止部２と相俟ってレールに係合しやすい。
このように構成されたロールスクリーンまたはカーテンの取付用ブラケットＡは、図２に示すように、取付ネジ４によって天井や窓などの取付面Ｃに螺着されるものである。
【００１７】
このロールスクリーン等の取付用ブラケットＡによって取り付けられるロールスクリーンＢは、支持部材１０の両端にサイドプレート１１がネジ１２により取り付けられており、巻取パイプ１３は、この両端のサイドプレート１１により回転可能に支持されている。この巻取パイプ１３には、スクリーン１４の一端側が巻取りまたは巻取り可能に連結されている。
【００１８】
また、この巻取パイプ１３には、図示しない巻取用コイルスプリングにより、常にスクリーン１４を巻取る方向に駆動する力が作用している。そして、スクリーン１４の下端にはウェストバー１５が取り付けられており、このウェストバー１５には、これを下方に引っ張るためのプルボール１６が垂下されている。        
【００１９】
また、支持部材１０は、Ｌ字状の一側上縁部１０ａと他側上縁部１０ｂが形成された２つのアルミ材で合成樹脂製のベース部１０ｃを挟み込んで一体に形成したもので、この一側上縁部１０ａと他側上縁部１０ｂがロールスクリーン等の取付用ブラケットＡの第１の係止部２と第２の係止部３に係止することで、ロールスクリーンＢの取り付けを行うものである。
【００２０】
このロールスクリーンＢの取り付けを図４、図５を参照して具体的に説明を行う。先ず、図４に示すように、支持部材１０の他側上縁部１０ｂを第１の係止部２の突起爪３ｂに引っかけて係止空間３ｃに嵌入させ、支持部材１０の他側上縁部１０ｂを第１の係止部２の楔状爪２ｂの先端に当てる。
【００２１】
次いで、図５に示すように、支持部材１０の他側上縁部１０ｂを第１の係止部２の先端部を楔状爪２ｂに当てた状態で、矢印に示すように、そそのまま上げていくと、第１の係止部２の先端部は楔状爪２ｂの斜面に沿って上がる。この時本体部1の中抜き溝１ｃがあるから内側に撓み、支持部材１０の一側上縁部１０ａは楔状爪２ｂの突端部を乗り越えて係止空間２ｃに嵌入し、図３に示すような係止状態となる。この時張出片５も移動するが、スペーサ６が本体部１の下面１ｄを転がり一定の間隙を維持しており、張出片５がねじれることなく、摺動し、係止作用を助けている。このとき第１の係止部２の上面は本体部１の上面１ｂより低い位置にあるから円滑に移動する。  
【００２２】
上述のように、ロールスクリーンをロールスクリーン等の取付用ブラケットＡに取り付ける場合は、第１の係止部２の楔状爪２の斜面により、その動きが非常にスムーズであり、特に、中抜き溝１ｃがあるのでそれほど大きな力を必要とせず、簡単に係止できるものである。そして、最も大きな力を必要とする突端部を乗り越え時には、ロールスクリーン等の取付用ブラケットＡの材質が合成樹脂であるので垂下壁２ａには弾性があり、内側に撓み変形するので乗り越え易くなるものである。さらに、一旦、図３に示すような係止状態になると、簡単に外れることはなく、安定して係止状態を保ことができるものである。取り外しに際しては第２の係止部３の垂下壁３ａの端部を内側に押さえると溝３ｅがあるので容易に内側に撓み外れやすくなる。
【００２３】
上述した実施の形態においては、ロールスクリーンに使用した例について説明したが、通常のカーテンにおいても全く同様であり、ロールスクリーンＢの支持部材１０の代わりに同一形状のカーテン用のレールを使用するのみである。従って、本発明のロールスクリーン等の取付用ブラケットＡは、ロールスクリーンと通常のカーテンに使用できるので、利便性が高いものである。
【００２４】
尚、本発明は上述した実施の形態に限定されず、特許請求の範囲内において様々な態様が可能であることは勿論である。例えば、第１の係止部と第２の係止部の位置は互いに反対の位置でかまわないことは勿論であり、第１の係止部の楔状爪における斜面の角度は適宜設定できることは勿論である。  
【図面の簡単な説明】
【００２５】
【図１】本発明に係るロールスクリーン等の取付用ブラケットをロールスクリーンに使用した状態を示す斜視図である。
【図２】本発明のブラケット本体の説明図である。（ａ）  側面図（ｂ）  平面図（ｃ）  裏面図（ｄ）  左側面図
【図３】図１のロールスクリーン等の取付用ブラケットを天井に固定した状態を示す断面図である。
【図４】図１のロールスクリーン等の取付用ブラケットにロールスクリーンの支持部材を挿入する状態を示す断面図である。
【図５】図１のロールスクリーン等の取付用ブラケットにロールスクリーンの支持部材を挿入する状態を示す断面図である。
【符号の説明】
【００２６】
Ａ      取付用ブラケット
Ｂ      ロールスクリーン
Ｃ      取付面
１      本体部
１ａ    挿入孔
１ｂ    上面
１ｃ    中抜き溝
１ｄ    下面
２      第１の係止部
２ａ    垂下部
２ｂ    楔状爪
２ｃ    係止空間
３      弾性支持部
３ａ    垂下部
３ｂ    突起爪
３ｃ    係止空間
３ｄ  突起
３ｅ  溝
４      取付ネジ
５    張出片
６    スペーサ
１０      支持部材
１０ａ    一側上縁部
１０ｂ    他側上縁部
１０ｃ    ベース部
１１      サイドプレート
１２      ネジ
１３      巻取パイプ
１４      スクリーン
１５      ウェストバー
１６      プルボール
【図１】
2007023643.tif 000003
【図２】
2007023643.tif 000004
【図３】
2007023643.tif 000005
【図４】
2007023643.tif 000006
【図５】
2007023643.tif 000007